(57)【要約】【課題】  快適に心地よく利用することができ、かつシートの外観性を確保することができる木炭パウダー入り綿繊維を備えたシートカバーを提供する。【解決手段】  木炭パウダー入り綿繊維入りシートカバー１０は、シート１１の背凭れ用シートバック１２を覆うカバー本体１３に、炭パウダー又は活性炭パウダー等を綿繊維に含ませた木炭パウダー入り綿繊維１８が設けられている。この木炭パウダー入り綿繊維を備えたシートカバー１０は、カバー本体１３のうち、使用者がシート１１に座った際に、使用者の背中が接触するカバー本体の内面部位に木炭パウダー入り綿繊維１８を収納する収納袋１９を形成してあり、この収納袋１９に木炭パウダー入り綿繊維１８を収納したものである。【選択図】    図１
2005348833.tif 000002
【特許請求の範囲】
【請求項１】
シートの背凭れ用シートバックを覆うカバー本体に、炭パウダー又は活性炭パウダー等を綿繊維に含ませた木炭パウダー入り綿繊維を備えたシートカバーであって、前記カバー本体のうち、使用者がシートに座った際に、使用者の背中が接触するカバー本体の内面部位に前記木炭パウダー入り綿繊維を収納する収納袋を形成し、この収納袋に前記木炭パウダー入り綿繊維を収納したことを特徴とする木炭パウダー入り綿繊維を備えたシートカバー。
【請求項２】
前記収納袋に開口部を設け、この開口部から前記木炭パウダー入り綿繊維を収納袋内に出し入れ可能とし、前記開口部には折返し部を備え、この折返し部で開口部に臨む木炭パウダー入り綿繊維の端部を覆うことを特徴とする請求項１に記載の木炭パウダー入り綿繊維を備えたシートカバー。
【請求項３】
前記カバー本体を、綿、麻、合繊等の通気性に優れた素材で形成したことを特徴とする請求項１記載の木炭パウダー入り綿繊維を備えたシートカバー。
【発明の詳細な説明】
【技術分野】
【０００１】
本発明は木炭パウダー入り綿繊維を備えたシートカバーに係り、特に電車、新幹線、バス、自家用車のシートや事務用椅子のシート等を覆うシートカバーに、炭パウダー又は活性炭パウダー等を綿繊維に含ませた木炭パウダー入り綿繊維を備えることで、快適にかつ心地よく使用することが可能な木炭パウダー入り綿繊維を備えたシートカバーに関する。
【背景技術】
【０００２】
近年、シートに快適に心地よく座ることができるように、シートの形状や、シートのクッション性が工夫されている。
しかし、使用者が快適に心地よくシートに座るためには、シートの形状や、クッション性を工夫するだけでは十分とはいえない。
【０００３】
すなわち、人間が快適に心地よく感じる要素として、臭気、湿度、温度、さらに空気の浄化等が挙げられ、使用者がより一層快適に心地よくシートに座ることができるようにするためには、これらの要素に対しても検討する必要がある。
【０００４】
ここで、例えば、綿繊維のボード（綿繊維を固めて板状に形成したもの）に木炭パウダーを含め、このボードを寝具用マットに備えて消臭性を確保するものが提案されている（例えば、特許文献１）。
【特許文献１】特開２００４−４９２７２号公報  この文献１の技術によれば、木炭パウダーを含めた綿繊維のボードを用いることで、使用感が良好なものとなる。
【発明の開示】
【発明が解決しようとする課題】
【０００５】
しかるに、電車用シートや事務用椅子等のシートは、電車内や会社内等の、人目につきやすい場所で使用されるため、シートの外観性についても配慮する必要がある。
現在、臭気、湿度、温度、さらに空気の浄化等に対する対策が施されたシートは、存在していないが、外観性を確保し、かつ臭気、湿度、温度、さらに空気の浄化等を考慮したシートの実用化を図ることができれば、シートを、より快適に心地よく利用することができることが予想される。
【０００６】
本発明は、シートを、快適に心地よく利用することができ、かつシートの外観性を確保することができる木炭パウダー入り綿繊維を備えたシートカバーを提供して、上述の全ての問題点を解消しようとするものである。
【課題を解決するための手段】
【０００７】
上記目的を達成するために請求項１は、シートの背凭れ用シートバックを覆うカバー本体に、炭パウダー又は活性炭パウダー等を綿繊維に含ませた木炭パウダー入り綿繊維を備えたシートカバーであって、前記カバー本体のうち、使用者がシートに座った際に、使用者の背中が接触するカバー本体の内面部位に前記木炭パウダー入り綿繊維を収納する収納袋を形成し、この収納袋に前記木炭パウダー入り綿繊維を収納したことを特徴とする。
【０００８】
上記した本発明に係る木炭パウダー入り綿繊維を備えたシートカバーは、シート使用者の背中が接触するカバー本体内面部位に、炭や活性炭等の木炭パウダー入り綿繊維を設けた。
この木炭パウダー入り綿繊維の炭パウダー又は活性炭パウダーで、臭気を好適に消すことができる。
【０００９】
また、木炭パウダー入り綿繊維を綿繊維で構成することで、通気性及び吸湿性を良好に確保することが可能になり、シートバック表面の湿気を好適に保つことができる。
さらに、綿繊維に空気層を形成することが可能になるので、保温性を確保することもできる。
このように炭パウダー又は活性炭パウダーには、消臭性、通気性、吸湿性を備えているので、シート利用者の雰囲気を浄化して、シートに座った人に清涼感を与えることができる。
【００１０】
ここで、シートカバーのうち、使用者の背中が接触するカバー本体内面部位に収納袋を形成し、この収納袋に木炭パウダー入り綿繊維を収納することにしたため、木炭パウダー入り綿繊維を人目につかないように、シートに備えることができ、その脱落も防止できる。
【００１１】
請求項２は、前記収納袋に開口部を設け、この開口部から前記木炭パウダー入り綿繊維を収納袋内に出し入れ可能とし、前記開口部には折返し部を備え、この折返し部で開口部に臨む木炭パウダー入り綿繊維の端部を覆うことを特徴とする。
【００１２】
開口部を塞ぐための折返し部を備えたので、木炭パウダー入り綿繊維が開口部から脱落することを折返し部で防止可能にして、木炭パウダー入り綿繊維をより一層良好に人目につかないようにでき、シートの安定使用性をさらに高めることができる。
【００１３】
請求項３は、前記カバー本体を、綿、麻、合繊等の通気性に優れた素材で形成したことを特徴とする。
【００１４】
カバー本体を通気性に優れた素材で形成することで、木炭パウダー入り綿繊維の特性を十分に活かすことを可能にした。
【発明の効果】
【００１５】
請求項１に係る発明では、シートカバーに、炭パウダー又は活性炭パウダー等を綿繊維に含ませた木炭パウダー入り綿繊維を設けることで、消臭効果、調湿効果及び保温効果を得ることができ、快適に心地よくシートを利用できるという利点がある。
【００１６】
さらに、請求項１に係る発明では、木炭パウダー入り綿繊維を人目につかないように、シートに設けることで、シートの外観性を良好に保つことができるという利点もある。
【発明を実施するための最良の形態】
【００１７】
以下、本発明に係る最良の形態を図面に基づいて詳細に説明する。図１は本発明に係る木炭パウダー入り綿繊維を備えたシートカバーをシートバックに取り付ける状態を示す斜視図、図２は本発明に係る木炭パウダー入り綿繊維を備えたシートカバーをシートバックに取り付けた状態を示す斜視図、図３は本発明に係る木炭パウダー入り綿繊維を備えたシートカバーの収納袋に木炭パウダー入り綿繊維を挿入した状態を示す断面図である。
【００１８】
図１乃至図３に示す木炭パウダー入り綿繊維を備えたシートカバー１０は、例えば新幹線のシート１１の背凭れ用シートバック１２を覆うカバーである。
木炭パウダー入り綿繊維入りシートカバー１０は、カバー本体１３の側部１４にファスナー１５を設け、このファスナー１５を開くことにより、シートバック１２から簡単に外すことが可能で、ファスナー１５を閉じることでシートバック１２に取り付け可能に構成されている。このファスナー１５は、いずれの位置に設けてもよく、さらにその設置個数が複数であっても良い。
【００１９】
木炭パウダー入り綿繊維を備えたシートカバー１０は、使用者がシート１１のシートクッション１６に座った際に、使用者の背中が接触するカバー本体内面部位、すなわちカバー本体１３の内面部位１３ａに木炭パウダー入り綿繊維１８を収納する収納袋１９を備えている。
この収納袋１９は、上端部に開口部２１が形成され、その開口部２１には必要に応じて折返し部２２を備えている。
【００２０】
開口部２１の近傍には面ファスナーの一方２３が設けられ、折返し部２２には面ファスナーの他方２４が設けられている。
この面ファスナーの一方２３と他方２４を接合させることで、折返し部２２において開口部２１を開閉自在に閉じることができる。
なお、面ファスナーの一方２３と他方２４を設けないで、折返し部２２を開口部２１の中に差し込むようにしてもよい。
【００２１】
開口部２１から、ボード状に形成されている木炭パウダー入り綿繊維１８を収納袋１９内に出し入れ可能に収納するが、折返し部２２で開口部２１に臨む木炭パウダー入り綿繊維１８の上端部を覆うことで、収納袋１９に収納した木炭パウダー入り綿繊維１８が不用意に抜け出すのを防止できる。
収納袋１９に木炭パウダー入り綿繊維１８を収納するには、カバー本体１３を裏返しにしてその作業を行い、使用に際しては元に戻すこととなる。
【００２２】
木炭パウダー入り綿繊維入りシートカバー１０は、カバー本体１３が綿、麻、合繊等の通気性に優れた素材で形成されている。
これにより、収納袋１９に収納した木炭パウダー入り綿繊維１８の特性を十分に活かすことが可能になる。
【００２３】
木炭パウダー入り綿繊維１８は、硬綿により略矩形状のボード体に形成された綿繊維製ボード２５で構成され、この綿繊維製ボード２５内には炭パウダー又は活性炭パウダーを含ませたものである。
この綿繊維製ボード２５が不織紙（１枚乃至複数枚）からなる内袋に収納され、この内袋に収納された綿繊維製ボード２５をさらに綿布からなる外袋に収納して完成させる。
【００２４】
綿繊維製ボード２５は硬綿繊維を一定の厚さに形成したものであるから、保型性と弾力性に優れている。
よって、シート１１に座って、背中が木炭パウダー入り綿繊維１８に接触した際に、使用感は格段に良好なものとなる。
【００２５】
綿繊維製ボード２５に含まれる炭パウダー又は活性炭パウダーは、表面に微小穴が無数に存在し、その微小穴の内壁中には、さらに別の微小穴が多数存在している。このため、これらの全ての微小穴が縦横無尺に繋がっている多孔質の素材となり、外気に触れる微小穴の表面積が著しく大きくなる。
このように、炭パウダー又は活性炭パウダーは外気に触れる表面積が飛躍的に大きくなるので、臭気及び湿気を確実に消すことが可能になる。
【００２６】
木炭パウダー入り綿繊維を備えたシートカバー１０を使用することで、木炭パウダー入り綿繊維１８の炭パウダー又は活性炭パウダーで、臭気を好適に消し、さらに木炭パウダー入り綿繊維１８の機能により、通気性を良好に確保することが可能になり、シートバック１２表面の湿気を好適に保つことができる。
また綿繊維に空気層を形成することが可能になり、保温性を確保することができるので、シート利用者の周りの雰囲気を良好にして、シートに座った人に清涼感を与えることができる。
【００２７】
ここで、綿繊維製ボード２５に炭パウダー又は活性炭パウダーを含ませるとともに、さらにトルマリンのパウダーを含ませることも可能である。
トルマリンはマイナスイオンや遠赤外線を発生し、トルマリンのマイナスイオンは、自律神経の調整作用、血液の浄化作用、抵抗力の増進作用、細胞の賦活作用、新陳代謝の活性化作用、生体の酸化（老化）を遅らせる作用、活性酸素（ＤＮＡ損傷）を消化する作用を有する。
トルマリンの遠赤外線は、新陳代謝を促進する作用、血液の循環を良好に改善する作用、手足の冷え・疼痛を改善する作用を有する。
【００２８】
なお、前記実施の形態では、木炭パウダー入り綿繊維を備えたシートカバー１０を新幹線のシート１１に用いる例について説明したが、電車用シート、バス用シート、自動車用シート、事務用椅子、車椅子及びソファー等の多種のシートに適用させることも可能である。
【００２９】
また、前記実施の形態では、シート１１のシートバック１２位置に木炭パウダー入り綿繊維１８を設けた例について説明したが、シートクッション１６位置に設けるようにすることも可能である。
【００３０】
さらに、前記実施の形態では、収納袋１９の上端部に開口部２１を設けた例について説明したが、その開口部２１を収納袋１９の左側部や右側部に設けることも勿論可能である。
またカバー本体１３の上部に、乗用車の座席上部に取り付けてある、取り外し自在のヘッドピロー部の差込脚を通過させるための孔部を、必要に応じて形成することも可能である。この孔部は、ひとつの長孔状のものであっても、あるいは二個の小孔状のものであっても良い。
【図面の簡単な説明】
【００３１】
【図１】本発明に係る木炭パウダー入り綿繊維を備えたシートカバーをシートバックに取り付ける状態を示す斜視図である。
【図２】本発明に係る木炭パウダー入り綿繊維を備えたシートカバーをシートバックに取り付けた状態を示す斜視図である。
【図３】本発明に係る木炭パウダー入り綿繊維を備えたシートカバーの収納袋に木炭パウダー入り綿繊維を挿入した状態を示す断面図である。
【符号の説明】
【００３２】
１０  木炭パウダー入り綿繊維を備えたシートカバー
１１  シート
１２  シートバック
１３  カバー本体
１３ａ  カバー本体の内面部位（使用者の背中が接触する部位）
１６  シートクッション
１８  木炭パウダー入り綿繊維
１９  収納袋
２１  開口部
２２  折返し部
２５  綿繊維製ボード
【図１】
2005348833.tif 000003
【図２】
2005348833.tif 000004
【図３】
2005348833.tif 000005